(57)【要約】【課題】任意の場所で撹拌可能にしつつ、重量増大を抑制しかつ構造をより簡単にするとともに作業性を向上することができる低コストの撹拌物収容コンテナおよびコンテナ撹拌システムを提供する。【解決手段】タンク７の保護板８の上面には、撹拌羽根収納箱２４が流体供給口９と異なる位置に設けられている。この撹拌羽根収納箱２４は撹拌回転軸を収納する撹拌回転軸収納部２６と、撹拌回転軸の先端部に取り付けられた撹拌羽根を収納する撹拌羽根収納部２８とからＴ字状に形成されている。こうして、撹拌羽根収納箱２４には、撹拌装置の撹拌回転軸および撹拌羽根のみが収納される。【選択図】    図１
2007069932.tif 000002
【特許請求の範囲】
【請求項１】
撹拌回転軸に取り付けられた撹拌羽根により撹拌される撹拌物を収容する撹拌物収容コンテナであって、フレームとこのフレームに支持されかつ前記撹拌物を撹拌物供給口から供給されて収容するタンクとを有する撹拌物収容コンテナにおいて、
前記撹拌羽根が取り付けられた撹拌回転軸を収納する撹拌羽根収納手段が設けられていることを特徴とする撹拌物収容コンテナ。
【請求項２】
前記撹拌羽根収納手段が上部に設けられていることを特徴とする請求項１記載の撹拌物収容コンテナ。
【請求項３】
前記撹拌羽根収納手段が撹拌羽根収納箱であり、
前記撹拌羽根収納箱が、前記撹拌回転軸を収納する撹拌回転軸収納部と前記撹拌羽根を収納する撹拌羽根収納部とからなり、前記撹拌回転軸収納部が撹拌回転軸収納蓋を備えるとともに、撹拌羽根収納部が撹拌羽根収納蓋を備えており、
前記撹拌回転軸収納蓋および前記撹拌羽根収納蓋のいずれか一方が前記撹拌回転軸収納蓋および前記撹拌羽根収納蓋のいずれか他方により閉じた状態に保持されるとともに、前記撹拌回転軸収納蓋および前記撹拌羽根収納蓋のいずれか他方が撹拌収納蓋係止手段により閉じた状態に保持されることを特徴とする請求項２記載の撹拌物収容コンテナ。
【請求項４】
前記撹拌羽根収納蓋が閉じられたとき前記撹拌羽根を固定することを特徴とする請求項３記載の撹拌物収容コンテナ。
【請求項５】
前記撹拌羽根収納部が、前記フレームと前記タンクとのデッドスペースに位置して下方に凹んだポケット部を有しており、このポケット部に前記撹拌羽根の少なくとも１枚の羽根が収納されることを特徴とする請求項３または４記載の撹拌物収容コンテナ。
【請求項６】
請求項１ないし５のいずれか１記載の撹拌物収容コンテナと、この撹拌物収容コンテナに収納されている撹拌物を撹拌する撹拌装置とからなるコンテナ撹拌システムであって、
前記撹拌装置は、前記撹拌回転軸に取り付けられた前記撹拌羽根と、前記撹拌回転軸を回転するモータとを備えており、
前記撹拌物供給口に着脱可能に固定支持されて前記モータを取り付けるモータ取付用台座と、このモータ取付用台座を前記撹拌物供給口に固定支持する台座係止手段とを備え、
前記モータおよび前記モータ取付用台座は前記撹拌物の使用場所に保管されており、
前記使用場所に搬送された前記撹拌物収容コンテナの撹拌物供給口に前記モータ取付用台座を取り付けるとともにこの前記モータ取付用台座に前記モータを取り付け、前記モータに前記撹拌回転軸を連結し前記モータで前記撹拌回転軸を回転することにより前記撹拌羽根で前記撹拌物を撹拌することを特徴とするコンテナ撹拌システム。
【請求項７】
前記撹拌物収容コンテナが前記撹拌物供給口を開閉する撹拌物供給口開閉蓋と、この撹拌物供給口開閉蓋を閉じた状態に保持する供給口開閉蓋係止手段とを備えており、
前記供給口開閉蓋係止手段は、撹拌物供給口に固定された係止具と、前記撹拌物供給口開閉蓋に固定されかつ前記係止具が係止可能な被係止片からなり、
前記台座係止手段は、前記供給口開閉蓋係止手段の係止具と、前記モータ取付用台座に固定されかつ前記係止具が係止可能な被係止片からなるとともに、前記台座係止手段の被係止片は前記供給口開閉蓋係止手段の被係止片と同じに形成されていることを特徴とする請求項６記載のコンテナ撹拌システム。
【発明の詳細な説明】
【技術分野】
【０００１】
本発明は、撹拌を必要とする、インキ等の流体や粉粒体の撹拌物を収容する撹拌物収容コンテナおよびこれを用いたコンテナ撹拌システムの技術分野に関するものである。
【背景技術】
【０００２】
従来、インキ等の流体が成分上、分離や沈降しやすい性質を有する化学品をその製造場所から使用場所へ搬送するにあたり、製造場所で流体をコンテナに収容した後、このコンテナを使用場所に搬送し、その使用場所でコンテナから中に収容された流体を取り出している。このような流体には、その性質上、排出時に外的な手段で流体を撹拌しなければ要求される品質を得られず、コンテナの排出口から排出することができなくなるような流体がある。
【０００３】
そこで、このような流体を搬送する場合、従来、使用場所の近傍に撹拌装置を設置しておき、コンテナから流体を取り出す際に、そのコンテナを撹拌装置に搬送してこの撹拌装置によりコンテナ内の流体を撹拌をし、その後、コンテナを使用場所に搬送して流体をコンテナから取り出すか、あるいはコンテナ排出口と流体受け入れ口をホース等で接続して取り出すかしている。しかし、このように撹拌装置をコンテナと別に設けると、撹拌装置を設置するためのスペースが必要であるばかりでなく、コンテナの撹拌装置に対する設置場所が制約されてしまう。しかも、コンテナを撹拌場所と取り出し場所との間で搬送しなければならない場合は、搬送に多くの時間を要してしまうため、取り出し場所を撹拌場所からあまり遠くに設定することができず、コンテナからの取り出し場所が制約されてしまう。
【０００４】
このようなことから、撹拌機を取り付けた撹拌機付コンテナが提案されている（例えば、特許文献１参照）。この特許文献１に開示されている撹拌機付コンテナは、コンテナの上部に撹拌機を固定し、この撹拌機の撹拌回転軸を下方に突出させてコンテナの上部流体供給口からコンテナ内に進入させるとともに、この撹拌回転軸に取り付けられた撹拌翼をコンテナ内の撹拌物である流体中に浸漬させている。そして、撹拌機を駆動して撹拌翼を回転させることで、流体を撹拌するようになっている。
【０００５】
この撹拌機付コンテナによれば、別に撹拌機を設置する必要がないのでその設置スペースが不要になるとともに、コンテナの撹拌機への搬送が不要になり、作業性が向上する。しかも、コンテナからの流体の取り出し場所が制約されず、その自由度が高くなる。
【特許文献１】実開平７−１３４３３号公報
【発明の開示】
【発明が解決しようとする課題】
【０００６】
しかしながら、このような撹拌機が上部に固定された撹拌機付コンテナでは、撹拌機のモータ、変速機、撹拌回転軸および撹拌翼をコンテナに常時固定しているため、コンテナの重量が増大しているばかりでなく、コンテナの構造が複雑となっている。また、撹拌機がコンテナの上部流体供給口に配置されているため、コンテナの内部洗浄および流体の供給が難しく、作業性が悪いものとなっている。しかも、コンテナ毎にモータや変速機を常に設けているので、コストが高いという問題もある。
【０００７】
本発明はこのような問題に鑑みてなされたものであって、その目的は、任意の場所で撹拌可能にしつつ、重量増大を抑制しかつ構造をより簡単にするとともに作業性を向上することができる低コストの撹拌物収容コンテナおよびこれを用いたコンテナ撹拌システムを提供することである。
【課題を解決するための手段】
【０００８】
前述の課題を解決するために、請求項１に係る発明の撹拌物収容コンテナは、撹拌回転軸に取り付けられた撹拌羽根により撹拌される撹拌物を収容する撹拌物収容コンテナであって、フレームとこのフレームに支持されかつ前記撹拌物を撹拌物供給口から供給されて収容するタンクとを有する撹拌物収容コンテナにおいて、前記撹拌羽根が取り付けられた撹拌回転軸を収納する撹拌羽根収納手段が設けられていることを特徴としている。
【０００９】
また、請求項２に係る発明の撹拌物収容コンテナは、前記撹拌羽根収納手段が上部に設けられていることを特徴としている。
更に、請求項３に係る発明の撹拌物収容コンテナは、前記撹拌羽根収納手段が撹拌羽根収納箱であり、前記撹拌羽根収納箱が、前記撹拌回転軸を収納する撹拌回転軸収納部と前記撹拌羽根を収納する撹拌羽根収納部とからなり、前記撹拌回転軸収納部が撹拌回転軸収納蓋を備えるとともに、撹拌羽根収納部が撹拌羽根収納蓋を備えており、前記撹拌回転軸収納蓋および前記撹拌羽根収納蓋のいずれか一方が前記撹拌回転軸収納蓋および前記撹拌羽根収納蓋のいずれか他方により閉じた状態に保持されるとともに、前記撹拌回転軸収納蓋および前記撹拌羽根収納蓋のいずれか他方が撹拌収納蓋係止手段により閉じた状態に保持されることを特徴としている。
【００１０】
更に、請求項４に係る発明の撹拌物収容コンテナは、前記撹拌羽根収納蓋が閉じられたとき前記撹拌羽根を固定することを特徴としている。
更に、請求項５に係る発明の撹拌物収容コンテナは、前記撹拌羽根収納部が、前記フレームと前記タンクとのデッドスペースに位置して下方に凹んだポケット部を有しており、このポケット部に前記撹拌羽根の少なくとも１枚の羽根が収納されることを特徴としている。
【００１１】
更に、請求項６に係る発明のコンテナ撹拌システムは、請求項１ないし５のいずれか１記載の撹拌物収容コンテナと、この撹拌物収容コンテナに収納されている撹拌物を撹拌する撹拌装置とからなるコンテナ撹拌システムであって、前記撹拌装置が、前記撹拌回転軸に取り付けられた前記撹拌羽根と、前記撹拌回転軸を回転するモータとを備えており、前記撹拌物供給口に着脱可能に固定支持されて前記モータを取り付けるモータ取付用台座と、このモータ取付用台座を前記撹拌物供給口に固定支持する台座係止手段とを備え、前記モータおよび前記モータ取付用台座は前記撹拌物の使用場所に保管されており、前記使用場所に搬送された前記撹拌物収容コンテナの撹拌物供給口に前記モータ取付用台座を取り付けるとともにこの前記モータ取付用台座に前記モータを取り付け、前記モータに前記撹拌回転軸を連結し前記モータで前記撹拌回転軸を回転することにより前記撹拌羽根で前記撹拌物を撹拌することを特徴としている。
【００１２】
更に、請求項７に係る発明のコンテナ撹拌システムは、前記撹拌物収容コンテナが前記撹拌物供給口を開閉する撹拌物供給口開閉蓋と、この撹拌物供給口開閉蓋を閉じた状態に保持する供給口開閉蓋係止手段とを備えており、前記供給口開閉蓋係止手段が、撹拌物供給口に固定された係止具と、前記撹拌物供給口開閉蓋に固定されかつ前記係止具が係止可能な被係止片からなり、前記台座係止手段が、前記供給口開閉蓋係止手段の係止具と、前記モータ取付用台座に固定されかつ前記係止具が係止可能な被係止片からなるとともに、前記台座係止手段の被係止片は前記供給口開閉蓋係止手段の被係止片と同じに形成されていることを特徴としている。
【発明の効果】
【００１３】
本発明にかかる撹拌物収容コンテナによれば、撹拌羽根収納手段を設け、撹拌羽根収納手段には撹拌装置の撹拌回転軸および撹拌羽根のみを収納し、撹拌装置のモータや変速機を収納しないので、撹拌回転軸および撹拌羽根を収納しても、撹拌物収容コンテナの重量増大を抑制することができるとともに、収納構造も簡単になり、更にコストを低減できる。特に、撹拌羽根収納手段を上部に設けることで、撹拌羽根収納手段に対する撹拌回転軸および撹拌羽根の収納操作を簡単にできる。
【００１４】
また、撹拌羽根が取り付けられた撹拌回転軸を収納して収納された流体とともに使用場所に搬送することができる。このように撹拌回転軸を常時撹拌物収容コンテナに収納しているので、撹拌回転軸および撹拌羽根を紛失することを防止できる。
【００１５】
特に、撹拌羽根収納手段を撹拌羽根収納箱で構成することにより、撹拌回転軸および撹拌羽根の収納性を向上することができる。
また、撹拌羽根収納箱を、撹拌回転軸収納部と撹拌羽根収納部と２つの部分で区画形成することで、撹拌回転軸および撹拌羽根の収納に対し必要最小限の収納スペースで済ませることができ、撹拌羽根収納箱をコンパクトに形成することができる。これにより、撹拌羽根収納箱の設置スペースを小さくでき、省スペース化を図ることができる。
【００１６】
更に、閉じられた撹拌羽根収納蓋および撹拌回転軸収納部のいずれか一方を撹拌羽根収納蓋および撹拌回転軸収納部のいずれか他方により閉じた状態に保持しているので、撹拌羽根収納蓋および撹拌回転軸収納部のいずれか他方を閉じた状態に固定保持（ロック）する係止手段を設けるだけで、撹拌羽根収納蓋および撹拌回転軸収納蓋をともに閉じた状態に保持することができる。したがって、撹拌羽根収納蓋および撹拌回転軸収納部のいずれか一方を閉じた状態に固定保持（ロック）するための係止手段に不要でき、部品点数を削減できるとともに、構造が簡単になり、しかも両蓋の保持操作が簡単になる。
【００１７】
更に、撹拌羽根収納箱のポケット部をフレームとタンクとで形成されるデッドスペースに設けているので、タンク等の撹拌物収容コンテナの他の構成部材と干渉することなく、フレーム内の限られた狭い空間を有効に利用することができる。しかも、下方に凹ませて形成したポケット部に、撹拌羽根の１枚の羽根を収納させているので、収納した撹拌羽根の高さを低く抑制することができる。これにより、撹拌羽根収納箱の高さも低く抑制できるので、撹拌羽根収納箱の設置スペースを更に一層小さくでき、省スペース化をより効果的に図ることができる。こうして、撹拌羽根収納箱を外形が直方体のフレームの上方および側方から外方に突出させることを防止できる。
【００１８】
更に、撹拌羽根収納箱内に撹拌回転軸および撹拌羽根を収納した状態で、閉じられた撹拌羽根収納蓋により撹拌羽根を固定しかつこの撹拌羽根収納蓋を閉じた状態で保持しているので、撹拌羽根を簡単にかつ堅固に保持することができるとともに、撹拌羽根収納蓋の閉じた状態の保持を解除することで、撹拌回転軸および撹拌羽根を簡単取り出し可能にすることができる。こうして、撹拌羽根収納蓋および撹拌回転軸収納蓋のいずれか他方の開閉操作により、撹拌羽根収納蓋および撹拌回転軸収納蓋の各開閉、および撹拌回転軸および撹拌羽根の収納保持および収納保持解除を簡単に行うことができるようになる。
【００１９】
一方、本発明のコンテナ撹拌システムによれば、撹拌物収容コンテナをこれに収容されている流体の使用場所に直接搬送すればよいので、作業性を向上させることができる。しかも、撹拌物収容コンテナからの流体の取り出し場所が制約されないので、撹拌物収容コンテナに収容された撹拌物の撹拌場所を任意の場所で行うことができ、その自由度を高くすることができる。しかも、撹拌装置のモータ、撹拌回転軸および撹拌羽根を撹拌物収容コンテナの流体供給口に常時配置していないため、撹拌物収容コンテナの内部洗浄および流体の供給が簡単になり、作業性が更に一層良好になる。そのうえ、撹拌物収容コンテナ毎にモータを常に設けていないので、コストを低減することができる。
【００２０】
また、モータ取付用台座を固定保持する台座係止手段の係止具を、撹拌物供給口に設けられた撹拌収納蓋係止手段の係止具と兼用しているので、モータ取付用台座を固定保持する台座係止手段の専用の係止具を不要にできる。これにより、モータ取付用台座の撹拌物供給口への取付けおよび取外しを、撹拌収納蓋係止手段の係止具を係止操作することにより、撹拌物供給口開閉蓋の係止操作および係止解除操作と同様にワンタッチで行うことができるとともに、部品点数を削減でき、台座係止手段の構造を簡単にできる。しかも、モータ取付用台座に固定された台座係止手段の被係止片を撹拌物供給口開閉蓋に固定された撹拌収納蓋係止手段の被係止片と同じに構成しているので、部品の共通化を図ることができ、その分、コストを低減することができる。
【発明を実施するための最良の形態】
【００２１】
以下、図面を用いて、本発明の実施の形態を説明する。
図１は、本発明にかかる撹拌物収容コンテナの実施の形態の一例を模式的に示し、（ａ）は正面図、（ｂ）は平面図である。
【００２２】
図１（ａ）および（ｂ）に示すように、この例の撹拌物収容コンテナ１は外形が直方体に形成されたフレーム２を備えており、このフレーム２は、それぞれ環状のほぼ正方形に形成された上下フレーム部材３,４と、これらの上下側横フレーム部材３,４の各４角をそれぞれ連結する４本の縦フレーム部材（２本の縦フレーム部材５,６のみ図示。以下、これらの縦フレーム部材５,６で説明する）から構成されている。
【００２３】
このフレーム２内には、インキ等の流体が収容される有底円筒状のタンク７が４方のサポート部材７０により固定支持されており、下側横フレーム部材４および４本の縦フレーム部材５,６に固定されている。また、４本の縦フレーム部材５,６には、このタンク７の円筒部の上方に位置して、タンク７の全体を保温する断熱材（不図示）を保護する保護板８が固定されている。保護板８には円形の孔（不図示）が穿設されているとともに、この孔周縁部の保護板８には、本発明の撹拌物供給口であるタンク７の円筒状の流体供給口（ハッチ）９がタンク７の円筒部から上方に立設されている。保護板８の孔および流体供給口（本発明の撹拌物供給口に相当）９は、円筒状のタンク７と同心状に設けられている。
【００２４】
図１（ｂ）に示すように、流体供給口９には、蝶番１０を介して、この流体供給口９を開閉する蓋（本発明の撹拌物供給口開閉蓋に相当）１１が図１（ｂ）において上下方向に回動可能に支持されている。そして、蓋１１を開くことで、流体が流体供給口９からタンク７内に供給されて収納されるようになっている。
【００２５】
この蓋１１は円形の平板１１ａで形成されており、この平板１１ａの外周縁には円環状のフランジ１１ｂが形成されている。そして、図１（ａ）および（ｂ）に示すように蓋１１が流体供給口９を閉じた状態では、流体供給口９の上端部が蓋１１のフランジ１１ｂ内に位置しているとともに流体供給口９の上端が蓋１１の平板１１ａに当接している。その場合、図示しないが流体供給口９と蓋１１との間に設けられたＯリングによりタンク７内が密閉される。
【００２６】
流体供給口９と蓋１１との間には、本発明の供給口開閉蓋係止手段でありかつ流体供給口９を閉じた状態に蓋１１を固定保持（ロック）する８個の第１ないし第８係止手段１２,１３,１４,１５,１６,１７,１８,１９が周方向に等間隔を置いて設けられている（なお、係止手段１２は８個に限定されることはなく、適宜数設けることができる）。これらの第１ないし第８係止手段１２,１３,１４,１５,１６,１７,１８,１９はいずれも同じ構成を有しており、公知のものを用いることができる。図２（ａ）に示すように、これらの第１ないし第８係止手段１２,１３,１４,１５,１６,１７,１８,１９は、流体供給口９の外周壁に設けられた係止具２０と、蓋１１に固定されかつ対応する係止具２０が係脱可能係止する被係止片２１とから構成されている。なお、図１（ａ）には、蝶番１０および第１ないし第８係止手段１２,１３,１４,１５,１６,１７,１８,１９は図示省略されている。
【００２７】
係止具２０は、流体供給口９の外周壁に固定された支持部材２２とこの支持部材２２に回動可能に支持された係止部材２３とを有している。係止部材２３は雄ねじ軸部２３ａとこの雄ねじ軸部２３ａに螺合されかつ被係止片２１に係止可能な係止部２３ｂとからなっている。更に、係止部２３ｂには円環状の取っ手２３ｃが設けられている。また、被係止片２１は、図２（ｂ）に示すように帯状平板から形成されてその一部が蓋１１の外周から径方向外方へ突出するようにして設けられている。蓋１１の外周から突出した帯状平板の部分は、長手方向の間隙２１ａにより二股にされた被係止部２１ｂ,２１ｃとなっている。また、これらの被係止部２１ｂ,２１ｃは、図２（ａ）に示すように若干上方に曲げられて抜け止め２１ｄ,２１ｅが設けられている。
【００２８】
そして、流体供給口９が蓋１１によって閉じられた状態で、係止部材２３を図２（ａ）に二点鎖線で示す状態から実線で示す状態に上方に回動して雄ねじ軸部２３ａを間隙２１ａに進入させるとともに係止部２３ｂを被係止部２１ｂ,２１ｃに係止させることで、蓋１１が流体供給口９を閉じた状態に固定保持される。このとき、被係止片２１の弾性で係止部２３ｂと被係止部２１ｂ,２１ｃとの係止は比較的強固になっているとともに、抜け止め２１ｄ,２１ｅにより、雄ねじ軸部２３ａが間隙２１ａから抜けて係止部２３ｂが被係止部２１ｂ,２１ｃから外れることが防止される。
【００２９】
また、逆に係止部材２３を図２（ａ）に実線で示す状態から二点鎖線で示す状態に下方に回動して雄ねじ軸部２３ａを間隙２１ａにから脱出させるとともに係止部２３ｂを抜け止め２１ｄ,２１ｅを乗り越えて被係止部２１ｂ,２１ｃから離脱させることで、蓋１１が回動可能となって、流体供給口９が開放可能となる。このように、第１ないし第８係止手段１２,１３,１４,１５,１６,１７,１８,１９は、係止動作および係止解除動作をワンタッチで行うことができるようになっている。係止部２３ｂと被係止部２１ｂ,２１ｃとの係止の調整は、係止部２３ｂを雄ねじ軸部２３ａに対して回動して雄ねじ軸部２３ａの回動軸と係止部２３ｂとの長さを調整することで行われる。
【００３０】
図１（ａ）および（ｂ）に示すように、保護板８の上面には、撹拌羽根収納箱２４が流体供給口９と異なる位置に設けられている。この撹拌羽根収納箱２４は、図１（ａ）および図３に示すように撹拌回転軸２５を収納する撹拌回転軸収納部２６と、図１（ａ）および図４に示すように撹拌回転軸２５の先端部に取り付けられた３枚の羽根２７ａ,２７ｂ,２７ｃからなる撹拌羽根２７を収納する撹拌羽根収納部２８とからＴ字状に形成されている。なお、撹拌羽根２８の羽根の枚数は３枚に限定されるものではなく適宜の数を設定することができるが、以下の説明では、３枚の羽根として説明する。
【００３１】
撹拌回転軸収納部２６は蓋１１の開閉方向（図１（ｂ）において上下方向）に細長く延設されている。図３および図４に示すように、この撹拌回転軸収納部２６は、この保護板８に互いに平行に立設された一対の側壁板２９,３０とこれらの側壁板２９,３０の撹拌羽根収納部２８と反対側の端に立設されかつこれらの側壁板２９,３０の端を連結する端壁板３１とから撹拌回転軸収納空間を形成するように平面視コ字状に形成されている。また、撹拌回転軸収納部２６は撹拌回転軸収納空間の上端開口を開閉する撹拌回転軸収納蓋３２を備えており、この撹拌回転軸収納蓋３２は一対の蝶番３３,３４で一方の側壁板２９に回動可能に支持されている。更に、撹拌回転軸収納蓋３２の蝶番３３,３４と反対側の側縁には、側壁板３０の上端部を覆うフランジ３５が形成されているとともに、撹拌羽根収納部２８と反対側の縁には、端壁板の上端部を覆うフランジ（不図示）が形成されている。この撹拌回転軸収納蓋３２は、撹拌回転軸収納空間の上端開口を閉じた状態では両側壁板２９,３０および端壁板の各上端に当接している。
【００３２】
撹拌羽根収納部２８は、撹拌回転軸収納部２６と直交する方向に延設されている。図３および図４に示すように、この撹拌羽根収納部２８は、保護板８に互いに平行に立設された一対の側壁板３６,３７とこれらの側壁板３６,３７の両端に立設されかつこれらの側壁板３６,３７の両端をそれぞれ連結する端壁板３８,３９とから撹拌羽根収納空間を形成するように平面視ほぼ矩形状に形成されている。その場合、一方の側壁板３６における、撹拌回転軸収納部２６の側壁板２９,３０が当接する部分が切除されていて、撹拌回転軸収納空間と撹拌羽根収納空間とが連通してＴ字状収納空間が形成されている。
【００３３】
更に、撹拌羽根収納空間の底部を形成する保護板８の部分であって、撹拌回転軸収納空間の延長上の部分には、保護板８を下方に凹ませてポケット部４０が設けられている。その場合、図１（ｂ）に示すようにポケット部４０は、円筒状のタンク７の側壁の外周面より外側で外形が直方体であるフレーム２内の何も設けられないデッドスペースに位置して設けられている。したがって、ポケット部４０が保護板８を下方に凹ませて形成されても、このポケット部４０はタンク７に干渉することはなく、フレーム２内の限られたスペースを有効に利用して設けられている。このポケット部４０には、３枚の羽根２７ａ,２７ｂ,２７ｃのうち、いずれか１枚の羽根（図示例では、羽根２７ａ）が収納されるようになっている。
【００３４】
また、撹拌羽根収納部２８は撹拌羽根収納部２８の上端開口を開閉する撹拌羽根収納蓋４１を備えており、この撹拌羽根収納蓋４１は一対の蝶番４２で他方の側壁板３７に回動可能に支持されている。更に、撹拌羽根収納蓋４１の蝶番４２が設けられていない３辺の縁には、それぞれ一方の側壁板３６の上端部を覆うフランジ４３および両端壁板３８,３９の上端部を覆うフランジ４４,４５が形成されている。
【００３５】
撹拌羽根収納蓋４１は撹拌羽根収納空間の上端開口を閉じた状態では、次のように作用している。すなわち、撹拌羽根収納蓋４１は、両側壁板３６,３７および両端壁板３８,３９の各上端に当接している。また、図３および図４に示すように、撹拌羽根収納蓋４１は、１枚の羽根２７ａがポケット部４０に収納された撹拌羽根２７の他の２枚の羽根２７ｂ,２７ｃの外形部分の上縁に当接しかつこれらの羽根２７ｂ,２７ｃを下方に押圧している。このとき、ポケット部４０の上縁を形成する保護板８の部分８ａ,８ｂに、羽根２７ａと羽根２７ｂとの間の外形部分２７ｄおよび羽根２７ａと羽根２７ｃとの間の外形部分２７ｅが当接している。したがって、撹拌羽根２７は、撹拌羽根収納蓋４１と保護板８の部分８ａ,８ｂとの間に挟持されて、堅固に固定支持されるようになっている。しかも、１枚の羽根２７ａを下方に凹んだポケット部４０に収納することで、撹拌羽根２７の収納高さを低く抑制できるので、撹拌羽根収納蓋４１を保護板８の上面に設けても、撹拌羽根収納蓋４１が上側横フレーム部材３から上方に突出することはない。
【００３６】
なお、本発明は、撹拌羽根収納蓋４１が閉じた位置にあるときに、必ずしも撹拌羽根収納蓋４１を２枚の羽根２７ｂ,２７ｃの上縁に当接させる必要はなく、撹拌羽根収納蓋４１と２枚の羽根２７ｂ,２７ｃの上縁との間に、隙間が生じてもよい。その場合、この隙間により撹拌羽根２７は若干動くが、隙間が生じるようにしたときは、撹拌羽根２７は撹拌羽根収納箱２４から飛び出さないようにする。しかし、撹拌羽根２７を堅固に収納保持するためには、前述のように撹拌羽根収納蓋４１により２枚の羽根２７ｂ,２７ｃの上縁を押圧することが好ましい。
【００３７】
更に、図３に示すように一方の側壁板３６の上端部を覆う撹拌羽根収納蓋４１のフランジ４３は、撹拌回転軸収納空間の上端開口を閉じた状態の撹拌回転軸収納蓋３２を上方から押圧して、撹拌回転軸収納蓋３２が開く方向（図３において上方）に回動して撹拌回転軸収納空間を開放しないように閉じた状態に固定保持（ロック）するようになっている。
【００３８】
撹拌羽根収納蓋４１のフランジ４５と他方の端壁板３９との間に、撹拌羽根収納部２８の上端開口を閉じた状態に撹拌羽根収納蓋４１を固定保持（ロック）する係止手段（本発明の撹拌収納蓋係止手段に相当）４６が設けられている。この係止手段４６は、撹拌羽根収納蓋４１のフランジ４５に固定された係止具４７と、端壁板３９に設けられかつこの係止具４７が係脱可能に係止するフック４８とから構成されている。係止具４７は、フランジ４５に固定された支持部材４９と、この支持部材４９に回動可能に支持された取っ手５０と、この取っ手５０に揺動自在に支持されてフック４８に係止可能な係止部材５１とを有している。
【００３９】
そして、図４に示すように係止部材５１をフック４８に係止させた状態で、取っ手５０を上方（図４において反時計回り）に回動させて係止部材５１を取っ手５０の回動軸５０ａよりフランジ４５側に位置させることで、撹拌羽根収納蓋４１が撹拌羽根収納部２８の上端開口を閉じた状態に固定保持（ロック）されるようになっている。また、図４に示す撹拌羽根収納蓋４１が撹拌羽根収納部２８の上端開口を閉じた状態に固定保持（ロック）された状態から、取っ手５０を下方（図４において時計回り）に回動させて係止部材５１を取っ手５０の回動軸５０ａよりフランジ４５側と反対側に位置させ、係止部材５１をフック４８から係止解除させることで、撹拌羽根収納蓋４１が開放可能にされるようになっている。
【００４０】
図示しないが、この例の撹拌物収容コンテナ１には、従来の撹拌物収容コンテナと同様に、タンク７の下端にタンク７内に収容された撹拌物である流体の排出口および開閉バルブが設けられており、開閉バルブを開くことでタンク７内の流体を排出することができるようになっている。
【００４１】
また、図１（ａ）に示すように、下側横フレーム部材４の下面には、外形がほぼ正方形のコンテナ載置台５２が設けられているとともに、上側横フレーム部材３の上面の４角には、Ｌ字状の位置決めストッパ５３,５４,５５,５６がそれぞれ設けられている。そして、１つの撹拌物収容コンテナ１の上に、他の１つの撹拌物収容コンテナ１がそのコンテナ載置台５２を下側の撹拌物収容コンテナ１の位置決めストッパ５３,５４,５５,５６に嵌合させて載置される。このとき、位置決めストッパ５３,５４,５５,５６により、載置された他の１つの撹拌物収容コンテナ１が位置決めされる。このようにして、複数の撹拌物収容コンテナ１の段重ね積みが可能とされている。
【００４２】
このように構成されたこの例の撹拌物収容コンテナ１における、撹拌羽根２７が取り付けられた撹拌回転軸２５の撹拌羽根収納箱２４への収納方法および撹拌回転軸２５の撹拌羽根収納箱２４からの取出方法について説明する。
最初に収納方法について説明する。まず、取っ手５０を下方に回動させて係止部材５１をフック４８から係止解除させた後、撹拌羽根収納蓋４１を開く方向に回動して撹拌羽根収納部２８の上端開口、つまり撹拌羽根収納空間を開放する。この撹拌羽根収納蓋４１の上方回動により、フランジ４３が撹拌回転軸収納蓋３２から離れるので、続いて、撹拌回転軸収納蓋３２を開く方向に回動して撹拌回転軸収納部２６の上端開口、つまり撹拌羽根収納空間を開放する。
【００４３】
次いで、撹拌羽根２７が取り付けられた撹拌回転軸２５を、撹拌回転軸２５が撹拌回転軸収納部２６に収納されるようにかつ撹拌羽根２７が撹拌羽根収納部２８に収納されるようにして撹拌羽根収納箱２４に収納する。その場合、図４に示すように撹拌羽根２７の１枚の羽根２７ａをポケット部４０に収納する。その後、まず撹拌回転軸収納蓋３２を閉じる方向に回動して撹拌回転軸収納部２６の上端開口を閉じた後、撹拌羽根収納蓋４１を閉じる方向に回動して撹拌羽根収納部２８の上端開口を閉じる。最後に、係止部材５１をフック４８に係止させた状態で取っ手５０を上方に回動させて、撹拌羽根収納蓋４１を閉じた状態に固定保持（ロック）する。このとき、図３に示すようにフランジ４３が撹拌回転軸収納蓋３２をその閉じる方向に押圧して閉じた状態に固定保持（ロック）するとともに、図４に示すように撹拌羽根収納蓋４１が撹拌羽根２７を保護板８との間に挟持するので、撹拌羽根２７が堅固に支持された撹拌羽根収納箱２４に収納される。
【００４４】
次に、取出方法について説明する。まず、前述と同様に取っ手５０を下方に回動させて係止部材５１をフック４８から係止解除させ、撹拌羽根収納蓋４１を開いて撹拌羽根収納部２８の上端開口を開放するとともに、撹拌回転軸収納蓋３２を開いて撹拌回転軸収納部２６の上端開口を開放する。
【００４５】
次いで、撹拌羽根２７が取り付けられた撹拌回転軸２５を撹拌羽根収納箱２４から取り出し、その後、前述と同様に撹拌回転軸収納蓋３２を閉じて撹拌回転軸収納部２６の上端開口を閉塞するとともに、撹拌羽根収納蓋４１を閉じて撹拌羽根収納部２８の上端開口を閉塞する。最後に、係止部材５１をフック４８に係止させた状態で取っ手５０を上方に回動して撹拌羽根収納蓋４１を閉じた状態に固定保持（ロック）するとともに、この撹拌羽根収納蓋４１により撹拌回転軸収納蓋３２を閉じた状態に固定保持（ロック）する。なお、撹拌回転軸２５を撹拌羽根収納箱２４から取り出した場合は、撹拌羽根収納蓋４１および撹拌回転軸収納蓋３２をともに閉じた状態に固定保持（ロック）する必要はなく、開いたままに保持してもよい。
【００４６】
このようにして、撹拌羽根収納蓋４１および撹拌回転軸収納蓋３２の開閉および撹拌羽根収納箱２４に収納された撹拌羽根２７が取り付けられた撹拌回転軸２５の固定支持が、いずれも、１つの係止手段４６の係止操作および係止解除操作により簡単に行われるようになる。
なお、前述の例とは逆に、撹拌回転軸収納蓋３２により撹拌羽根収納蓋４１を閉じた状態に固定保持（ロック）するとともに、係止手段により撹拌回転軸収納蓋３２を閉じた状態に固定保持（ロック）するようにすることもできる。しかし、通常は撹拌羽根収納部２８の高さが撹拌回転軸収納部２６の高さより大きいので、前述の例のように撹拌羽根収納蓋４１により撹拌回転軸収納蓋３２を閉じた状態に固定保持するとともに、係止手段により撹拌羽根収納蓋４１を閉じた状態に固定保持するようにすることが好ましい。
【００４７】
この例の撹拌物収容コンテナ１によれば、保護板８に撹拌羽根収納箱２４を設け、この撹拌羽根収納箱２４には撹拌装置の撹拌回転軸２５および撹拌羽根２７のみを収納し、撹拌装置のモータや変速機を収納しないので、撹拌回転軸２５および撹拌羽根２７を収納しても、撹拌物収容コンテナ１の重量増大を抑制することができるとともに、収納構造も簡単になり、更にコストを低減できる。特に、撹拌羽根収納箱２４を保護板８に設けることで、撹拌羽根収納箱２４に対する撹拌回転軸２５および撹拌羽根２７の出し入れ操作を簡単にできる。しかも、撹拌羽根収納箱２４を用いることで、撹拌回転軸２５および撹拌羽根２７の収納性を向上できる。
【００４８】
また、撹拌羽根２７が取り付けられた撹拌回転軸２５を収納してタンク７内に収納された流体とともに使用場所に搬送することができる。このように撹拌回転軸２５を常時撹拌物収容コンテナ１に収納しているので、撹拌回転軸２５および撹拌羽根２７を紛失することはない。
【００４９】
更に、撹拌羽根収納箱２４を、撹拌回転軸収納部２６と撹拌羽根収納部２８と２つの部分で区画形成しているので、撹拌回転軸２５および撹拌羽根２７の収納に対し必要最小限の収納スペースで済ませることができ、撹拌羽根収納箱２４をコンパクトに形成することができる。これにより、撹拌羽根収納箱２４の設置スペースを小さくでき、省スペース化を図ることができる。
【００５０】
特に、撹拌羽根収納箱２４のポケット部４０を直方体形状のフレーム２と円筒形のタンク７とで形成されるデッドスペースに設けているので、タンク７等の撹拌物収容コンテナ１の他の構成部材と干渉することなく、フレーム２内の限られた狭い空間を有効に利用することができる。しかも、保護板８を下方に凹ませて形成したポケット部４０に、撹拌羽根２７の１枚の羽根２７ａを収納させているので、収納した撹拌羽根２７の高さを低く抑制することができる。これにより、撹拌羽根収納箱２４の高さも低く抑制できるので、撹拌羽根収納箱２４の設置スペースを更に一層小さくでき、省スペース化をより効果的に図ることができる。こうして、撹拌羽根収納箱２４をフレーム２の上方および側方から外方に突出させることを防止できる。
【００５１】
更に、閉じられた撹拌羽根収納蓋４１により撹拌回転軸収納部２６の撹拌回転軸収納蓋３２を閉じた状態に固定保持（ロック）しているので、撹拌羽根収納蓋４１を閉じた状態に固定保持する係止手段４６を設けるだけで、撹拌羽根収納蓋４１および撹拌回転軸収納蓋３２をともに閉じた状態に固定保持することができる。したがって、撹拌回転軸収納蓋３２を閉じた状態に固定保持するための係止手段に不要でき、部品点数を削減できるとともに、構造が簡単になり、しかも両蓋３２,４１の固定保持操作が簡単になる。
【００５２】
しかも、撹拌羽根収納箱２４内に撹拌回転軸２５および撹拌羽根２７を収納した状態で、撹拌羽根２７を閉じられた撹拌羽根収納蓋４１と保護板８との間に挟持するとともに、係止手段４６により撹拌羽根収納蓋４１を閉じた状態に固定保持（ロック）することで、簡単にかつ堅固に保持することができるとともに、係止手段４６により撹拌羽根収納蓋４１の固定保持を解除（ロック解除）することで、撹拌回転軸２５および撹拌羽根２７を簡単取り出し可能にすることができる。こうして、係止手段４６の係止操作および係止解除操作により、撹拌羽根収納蓋４１および撹拌回転軸収納蓋３２の各開閉、および撹拌回転軸２５および撹拌羽根２７の堅固保持および堅固保持解除を簡単に行うことができるようになる。
【００５３】
なお、撹拌羽根収納箱２４は必ずしも保護板８の上面に設ける必要はなく、例えば、タンク７の外方でかつフレーム２内の前述のデッドスペースに、撹拌羽根２７が上方となるように撹拌回転軸２５を上下方向に収納させることもできる。その場合、撹拌羽根２７は保護板８の上方に位置するようにする。しかし、撹拌羽根収納箱２４に対する撹拌羽根２７および撹拌回転軸２５の出し入れの利便性を考慮すると、前述の例のように撹拌羽根収納箱２４を保護板８の上面に設けることが好ましい。
【００５４】
次に、前述の例の撹拌物収容コンテナ１を用いた本発明のコンテナ撹拌システムの実施の形態の一例を説明する。
この例のコンテナ撹拌システムでは、撹拌装置を、そのモータおよび変速機と、撹拌回転軸２５および撹拌羽根２７とに２分割して構成している。そして、モータおよび変速機は、撹拌物収容コンテナ１に収納される撹拌物である流体の使用場所に持ち運び可能に保管されている。
【００５５】
また、図５（ａ）および（ｂ）に示すように、このコンテナ撹拌システムでは、モータ取付用台座５７が用いられている。このモータ取付用台座５７は、中央に大きな円形の開口５８が形成された円環状の本体５９と、この本体５９の上面に固定された横断面Ｌ字状でかつ直線状に延びるモータ取付具６０と、本発明の台座係止手段である３個の第１ないし第３モータ取付具係止手段６１,６２,６３とから構成されている。
【００５６】
本体５９は、円環状に形成されていること以外の一部が前述の流体供給口９を開閉する蓋１１の平板１１ａとまったく同じ材料でかつ平板１１ａの一部と同じ形状に形成されている。したがって、本体５９の平板５９ａの外周縁には、蓋１１の円環状のフランジ１１ｂと同じ円環状のフランジ５９ｂが形成されている。そして、モータ取付用台座５７が流体供給口９の上端に載置された状態では、流体供給口９の上端部がモータ取付用台座５７のフランジ５９ｂ内に位置しているとともに流体供給口９の上端がモータ取付用台座５７の平板５９ａに当接するようになっている。
【００５７】
モータ取付具６０は水平部６０ａと垂直部６０ｂとからなり、水平部６０ａが本体５９の平板５９ａの上面に固定されている。
また、第１ないし第３モータ取付具係止手段６１,６２,６３は、蓋１１に設けられた前述の第１ないし第８係止手段１２,１３,１４,１５,１６,１７,１８,１９の被係止片２１とまったく同じ被係止片６４を備えている。したがって、被係止片６４は、被係止片２１の長手方向の間隙２１ａ、二股にされた被係止部２１ｂ,２１ｃ、および抜け止め２１ｄ,２１ｅとそれぞれ同じ間隙６４ａ、二股にされた被係止部６４ｂ,６４ｃ、および抜け止め６４ｄ,６４ｅを有している。そして、これらの被係止片６４は本体５９の平板５９ａの上面に、蓋１１の第２係止手段１３、第４係止手段１５、および第７係止手段１８の各被係止片２１と対応する位置に固定されている。また、第１ないし第３モータ取付具係止手段６１,６２,６３は、各被係止片６４に係止する係止具として、流体供給口９の外周壁に設けられた前述の係止具２０がそのまま兼用されるようになっている。
【００５８】
更に、図６（ａ）および（ｂ）に示すように、このコンテナ撹拌システムでは、タンク７内に収容された流体の蒸発を防止する蒸発防止板６５が用いられている。この蒸発防止板６５は本体５９の外径とほぼ同じ外径を有する円板状に形成されているとともに、一部弦方向にカットされた直線状部６５ａが形成されている。この直線状部６５ａの中央部には、径方向に延びる直線状溝６５ｂが形成されている。直線状溝６５ｂには、撹拌回転軸２５が遊びを有して貫通可能とされている。また、蒸発防止板６５には、この蒸発防止板６５を持ってモータ取付用台座５７上にセット操作するために取っ手６６が設けられている。
【００５９】
このように構成されたこの例のコンテナ撹拌システムにおける、撹拌物収容コンテナ１内に収容された流体の撹拌方法について説明する。
タンク７内に撹拌物である流体が収容されかつ撹拌羽根収納箱２４内に撹拌回転軸２５および撹拌羽根２７が収納された撹拌物収容コンテナ１を流体の使用場所に搬送する。次いで、第１ないし第８係止手段１２,１３,１４,１５,１６,１７,１８,１９を前述のように係止解除して、蓋１１を蝶番１０によりほぼ１８０°回動して、流体供給口９を開放する。次に、保管していたモータ取付用台座５７を流体供給口９の上端に載置する。その場合、モータ取付具６０が蝶番１０側になるようにモータ取付用台座５７を配置する。
【００６０】
そして、前述の蓋１１を閉じた状態に固定保持する場合と同様にして、流体供給口９の外周壁に設けられた係止具２０のうち、第２係止手段１３、第４係止手段１５、および第７係止手段１８の各係止具２０を係止操作して、それぞれ対応する第１ないし第３モータ取付具係止手段６１,６２,６３の被係止片６４に係止させる。これにより、ワンタッチでモータ取付用台座５７が流体供給口９の上端に固定される。
【００６１】
次いで、図７に示すようにモータ取付具６０の垂直部６０ｂにモータ取付台６７を固定する。その場合、モータ取付台６７には、予めモータ６８および変速機６９が固定されていて、これらのモータ取付台６７、モータ６８および変速機６９はユニットとして構成されている。このモータ取付台６７はモータ取付具６０に取り付けられる鉛直方向下方に延びる二股状の取付部６７ａと、この取付部６７ａの上端から右上方へ傾斜して延びるモータ取付部６７ｂとからなっている。そして、取付部６７ａの二股部の間にモータ取付具６０の垂直部６０ｂが位置するようにモータ取付台６７をセットし、取付部６７ａの二股部の一方の部分に取付ボルト６８を螺合貫通させてこの取付ボルト６８の先端で垂直部６０ｂを押圧してこの垂直部６０ｂを取付ボルト６８と取付部６７ａの二股部の他方の部分との間に挟圧することで、モータ取付台６７を垂直部６０ｂに取り付ける。こうして、モータ取付台６７、モータ６８および変速機６９がモータ取付具６０に固定される。
【００６２】
次に、前述のようにして撹拌羽根収納箱２４から、撹拌羽根２７が取り付けられた撹拌回転軸２５を取り出し、撹拌羽根２７がタンク７内の流体中に浸漬するようにして撹拌回転軸２５を変速機６９に連結する。この連結は図示しないが従来公知のワンタッチで連結する簡単な連結手段で行うようにする。そして、変速機６９に連結された撹拌回転軸２５が傾斜してタンク７内に進入するようにする。次いで、取っ手６６を持って蒸発防止板６５をモータ取付用台座５７の上にセットする。その場合、蒸発防止板６５の直線状部６５ａをモータ取付具６０の垂直部６０ｂに当接させるとともに、撹拌回転軸２５が直線状溝６５ｂを貫通するように蒸発防止板６５を配置する。最後に、モータ６８を駆動して変速機６９により減速して撹拌回転軸２５および撹拌羽根２７を回転させて、流体を撹拌して、流体の粘性を低下する。そして、タンク７の下部に設けられている排出口からバルブを開いて流体を必要量排出して取り出す。
【００６３】
この例のコンテナ撹拌システムによれば、撹拌物収容コンテナ１をこれに収容されている流体の使用場所に直接搬送すればよいので、作業性を向上させることができる。しかも、撹拌物収容コンテナ１からの流体の取り出し場所が制約されず、撹拌物収容コンテナ１の流体の撹拌場所を任意の場所にでき、その自由度を高くすることができる。しかも、撹拌装置のモータ６８、変速機６９、撹拌回転軸２５および撹拌羽根２７を撹拌物収容コンテナ１の流体供給口９に常時配置していないため、撹拌物収容コンテナ１の内部洗浄および流体の供給が簡単になり、作業性が更に一層良好になる。そのうえ、撹拌物収容コンテナ１毎にモータ６８や変速機６９を常に設けていないので、コストを低減することができる。
【００６４】
また、モータ取付用台座５７を固定保持する第１ないし第３モータ取付具係止手段６１,６２,６３の係止具２０を、流体供給口９の蓋１１を閉じた状態固定保持する係止手段の係止具２０と兼用しているので、モータ取付用台座５７を固定保持する専用の係止具を不要にできる。これにより、モータ取付用台座５７の流体供給口９への取付けおよび取外しを、第１ないし第８係止手段１２,１３,１４,１５,１６,１７,１８,１９の係止具２０を係止操作することにより、蓋１１の係止操作および係止解除操作と同様にワンタッチで行うことができるとともに、部品点数を削減でき、第１ないし第３モータ取付具係止手段６１,６２,６３の構造を簡単にできる。しかも、モータ取付用台座５７の被係止片６４を蓋１１の被係止片２１とまったく同じものを用いているとともに、モータ取付用台座５７の円環状の本体５９を蓋１１と同じものを用いているので、部品の共通化を図ることができ、その分、コストを低減することができる。
【００６５】
なお、前述の例では、撹拌物収容コンテナ１に撹拌物として流体を収容するものとしてるが、本発明はこれに限定されるものではなく、例えば紛粒体等の撹拌を必要とする物であれば、どのような撹拌物を収容する撹拌物収容コンテナにも適用することができる。
【産業上の利用可能性】
【００６６】
本発明の撹拌物収容コンテナおよびコンテナ撹拌システムは、インキ等の流体や粉粒体等の撹拌を必要とする撹拌物を収容する撹拌物収容コンテナおよびこれを用いたコンテナ撹拌システムに好適に利用することができる。
【図面の簡単な説明】
【００６７】
【図１】本発明にかかる撹拌物収容コンテナの実施の形態の一例を模式的に示し、（ａ）は正面図、（ｂ）は平面図である。
【図２】図１に示す例の撹拌物収容コンテナの係止手段を模式的に示し、（ａ）は係止動作を説明する図、（ｂ）は係止片の平面図である。
【図３】図１におけるIII−III線に沿う断面図である。
【図４】図１におけるIV−IV線に沿う断面図である。
【図５】モータ取付用台座を示し、（ａ）は正面図、（ｂ）は（ａ）におけるVB−VB線に沿う断面図である。
【図６】蒸発防止板を示し、（ａ）は正面図、（ｂ）は平面図である。
【図７】撹拌装置を流体供給口に取り付けた状態を模式的にかつ部分的に示す図である。
【符号の説明】
【００６８】
１…撹拌物収容コンテナ、２…フレーム、７…タンク、８…保護板、９…流体供給口（…ッチ）、１１…蓋、１２,１３,１４,１５,１６,１７,１８,１９…係止手段、２０…係止具、２１…被係止片、２４…撹拌羽根収納箱、２５…撹拌回転軸、２６…撹拌回転軸収納部、２７…撹拌羽根、２８…撹拌羽根収納部、３２…撹拌回転軸収納蓋、３５…フランジ、４０…ポケット部、４１…撹拌羽根収納蓋、４６…係止手段、５７…モータ取付用台座、６１,６２,６３…モータ取付具係止手段、６４…被係止片、６５…蒸発防止板、６８…モータ
【図１】
2007069932.tif 000003
【図２】
2007069932.tif 000004
【図３】
2007069932.tif 000005
【図４】
2007069932.tif 000006
【図５】
2007069932.tif 000007
【図６】
2007069932.tif 000008
【図７】
2007069932.tif 000009